【誤訳訂正書】
【提出日】平成24年8月20日(2012.8.20)
【誤訳訂正１】
【訂正対象書類名】明細書
【訂正対象項目名】全文
【訂正方法】変更
【訂正の内容】
【発明の詳細な説明】
【発明の名称】無線通信装置グループへのグループ通信のための連続的なインターフェース維持
【優先権の主張】
【０００１】
本願は、本願の譲受人に譲渡され、参照によって本願の全体に明確に組み込まれた、2007年9月24日出願の「CONTINUOUS INTERFACE MAINTENANCE FOR GROUP COMMUNICATIONS TO、WIRELESS COMMUNICATION DEVICE GROUP」と題された米国特許仮出願第60/974,838号、及び2007年9月24日に出願の「CONTINUOUS BROADCAST INTERFACE MAINTENANCE FOR GROUP COMMUNICATIONS TO WIRELESS COMMUNICATION DEVICES」と題された米国特許仮出願第60/974,839号に対する優先権を主張する。
【技術分野】
【０００２】
本発明は、ポイント・ツー・ポイントあるいはポイント・ツー・マルチポイントの無線通信システムに関する。
【０００３】
より具体的には、本発明は、通信グループのメンバーである無線通信装置への、プッシュ・トゥ・トーク(PTT)通信のような、グループ通信のための開かれた且つ連続的なインターフェースを維持するためのシステム及び方法に関する。
【背景技術】
【０００４】
携帯電話の無線通信では、通信インフラの生成および機能性に関して実施された、いくつかの標準規格があった。より最近の標準規格のうちの１つはCDMA2000であり、ここでは、CDMAは「符号分割多元接続」の略語である。CDMA2000はブロードキャストマルチキャスト・サービス(BCMCS)を支援し、それは、携帯電話の電話会社のネットワークの１つ以上の領域にある１つ以上の無線通信装置へのBCMCSコンテンツストリーム(単数または複数)の配信のための無線通信インターフェースの最適化を可能にする。CDMA2000プロトコルは、音声およびデータの両方ともが無線通信装置へ及び無線通信装置から送信されることを可能にし、無線電気通信装置および無線アクセスネットワーク(RAN)からの及び無線電気通信装置および無線アクセスネットワーク(RAN)への通信、および、基地局、パケットデータサービングノード(PDSN)、およびブロードキャストサービングノード(BSN)のような通信制御装置の間の通信のための適切なリソース割付を判断する。
【０００５】
「プッシュ・トゥ・トーク」(PTT)能力と一般的に呼ばれる、迅速な１対１のあるいは１対複数の通信を提供する無線電気通信サービスが存在する。通信する無線装置のための受信者装置の特定のPTTグループは、電話会社によって一般に構成される。PTT通信接続は、話し手とグループの各メンバー装置の間の半二重のリンクを活性化する無線装置上でボタンを１回押下げすることおよびすぐにそのボタンが放されることによって一般的に始められる。一旦ボタンが放されれば、装置は入ってくるPTT送信を受信することができる。いくつかの処理では、PTT話し手は、話し手が話している間、他のグループメンバーが話すことができない「発言権(floor)」を持つだろう。一旦、話し手がPTTボタンを放せば、グループの他の個人メンバも彼らのPTTボタンを押下することができ、彼らは発言権を有するだろう。
【０００６】
音声通信の即時性が望まれているため、PTTコールの信号路の非常に速い設定を持っていることは重要である。従って、通信の時間感度を与えられたターゲット無線通信装置とのPTT通信設定を促進するためのシステムと方法を提供することは有益であろう。そのようなシステムおよび方法は、既存の携帯電話のネットワークインフラを有利に利用することができ、そうでなければ、PTT通信において潜在的遅れを有し得る。したがって、本発明が主に目指しているのは、無線通信装置との通信を促進するようなシステムおよび方法を提供することである。
【発明の概要】
【０００７】
本発明の実施例は、プッシュ・トゥ・トーク(PTT)グループのような通信グループにある複数の無線通信装置の少なくとも１つへの無線通信を制御している通信制御装置への開いた且つインターフェースを選択的に維持するシステム、方法およびコンピュータ装置を含む。１つの実施例では、無線通信装置は、基地局コントローラのような、通信制御装置に登録し、少なくとも１つのインターフェースは、通信制御装置と、ブロードキャストサービングノード(BSN)をともなうブロードキャストA10インターフェースのような、無線通信ネットワーク上の別のコンピュータ装置との間で確立される。その後、通信制御装置は、少なくとも１つの無線通信装置、すなわち通信グループの少なくとも１つのメンバー装置が登録されている間に、インターフェースを維持するので、グループ通信は、無線通信装置に対して、より迅速に配信されることができる。
【図面の簡単な説明】
【０００８】
【図１】図１は、無線ネットワークにわたって、グループ通信サーバーおよび他のコンピュータ装置と通信している無線電気通信装置の指定されたPTTグループを備えた無線ネットワークの代表的なダイヤグラムである。
【図２】図２は、PTTグループメンバーの無線電気通信装置間の通信を制御するグループ通信サーバーを有する、共通の携帯電話の電気通信構成中の無線ネットワークの１つの実施例の代表的なダイヤグラムである。
【図３】図３は、PTT能力で具体化された無線電気通信装置のコンピュータ・プラットフォームを例証するブロック・ダイヤグラムである。
【図４】図４は、CDMA2000アーキテクチャ中でのBCMCSデータストリーミングの一実施例を例証するブロック・ダイヤグラムである。
【図５】図５は、BSC/PCFとBSNの間のブロードキャストA10インターフェースを生成するBCMCSフロー登録の一実施例のコールフローダイアグラムである。
【図６】図６は、PTT通信グループの少なくとも一メンバーが登録されている間に、連続的なインターフェースを維持する通信制御装置についての処理の一実施例のフローチャートである。
【発明を実施するための形態】
【０００９】
この記述で、用語「通信装置」、「無線装置」、「無線通信装置」、「PTT通信装置」、「ハンドヘルド装置」、「モバイル装置」、および「ハンドセット」は交互に使用される。用語「コール」および「通信」も交互使用される。ここに使用されるような用語「アプリケーション」は、実行可能及び実行可能で無いソフトウェアファイル、未加工データ、集められたデータ、パッチおよび他のコードセグメントを包含するように意図される。用語「典型的である(exemplary)」は、示された要素もしくは実施例が例のみであることを意味し、ユーザーの好みを示さない。さらに、同様の数字は、いくつかの図の全体にわたる同様の要素を参照し、冠詞「１つの(a)」「その(the)」は、記述に別段の定めがない限り複数の参照を含む。
【００１０】
更に、本発明は、CDMA2000ネットワークアーキテクチャ中で作動するように、ここでいくつかの実施例中で示される。当業者の１人に知られているような、CDMA2000システムの既知の標準規格および構成、およびネットワークインターフェースに関して参照されることができる。
【００１１】
明細書の全体を通して同様の数字が同様の要素を表す図面を参照して、図１は、無線ネットワーク２０を介した他の無線電気通信装置と共に、無線電話１４、スマートページャー１６および携帯情報端末(PDA)１８のような、PTTグループ１２中で、１つ以上の無線電気通信装置に対してグループ通信サーバー３２をともなう事についてのシステム１０の一実施例を例証する。システム１０では、各無線電気通信装置１４、１６、１８は、複数のうち、１つ以上の他の無線電気通信装置のターゲットセットと無線通信ネットワーク２０を介して選択的に直接通信することができる。例えば、携帯型電話１４のためのターゲットセットは、ページャー１６およびＰＤＡ１８のような通信グループ１２あるいはそれらのサブセットにおける、すべての装置になりえる。
【００１２】
この実施例では、無線電気通信装置(携帯型電話１４のような)は、無線ネットワーク２０上で無線装置が存在していること、言い換えればアクセス可能であることを示すために、無線ネットワーク２０を介してサーバーサイドLAN３０の上で存在する、サーバー３２としてここに示された、少なくともグループ通信コンピュータ装置にフラグを送る。グループ通信コンピュータ装置３２は、第１の無線電気通信装置で指定されたターゲットの無線電気通信装置のセットと、この情報を共有することができ、または、無線ネットワーク２０を介してアクセス可能である、または、サーバーサイドLAN３０の上に常駐する他のコンピュータ装置と共有することもできる。グループ通信コンピュータ装置３２は、無線装置に関するグループ識別データを格納するための添付されたまたはアクセス可能なデータベース３４を持つことができる。サーバーサイドLAN３０の上で、あるいは無線ネットワーク２０にわたって、あるいは一般的にはインターネットにわたって、常駐するコンピュータ・コンポーネントの数が制限されていないことは理解されるべきである。
【００１３】
PTT通信のような直接通信は、通信する無線電気通信装置１４、１６、１８およびターゲットセットの１つ以上の他の無線電気通信装置の間の半２重通信路を通って確立されることができる。さらに、グループ通信コンピュータ装置３２は、ターゲットセットの無線電気通信装置の少なくとも１つが、無線ネットワーク２０上でのそれらの存在をグループ通信コンピュータ装置３２に通知した場合、ターゲットセットとの要求された直接通信を調整することを試みることができる。
【００１４】
グループ通信コンピュータ装置３２は、また、ターゲットセットの無線電気通信装置のうちいずれも（または少なくとも１つ）、無線ネットワーク２０上でのそれらの存在をグループ通信コンピュータ装置３２に通知していなかった際に、ターゲットセット１２への直接通信を調整することが出来ないことを無線電気通信装置１４、１６、１８に通知することができる。さらに、グループ通信コンピュータ装置３２が、グループ識別データの添付のデータベース３４を持っているようにここに示されているが、グループ通信コンピュータ装置３２は、常駐するグループ同一性データを持ち、ここに記述されたストレージ機能をすべて実行することができる。
【００１５】
概観では、システム１０は、少なくとも１つのターゲット無線通信装置(例えば携帯型電話１４)とのグループ通信を確立する要求を受信するように構成されたグループ通信サーバー３２を用いて無線通信ネットワーク２０を介してグループ通信用の無線通信装置１４、１６、１８と選択的に通信し、また、グループ通信サーバー３２は、入ってくるグループ通信を示して無線通信ネットワーク２０を介して少なくとも１つのターゲット無線通信装置に要求を送信する。中間のコンピュータ装置(図２の中の基地局コントローラ６４のような)は、グループ通信サーバー３２からのグループ通信を確立する要求を受信した少なくとも１つのターゲット無線通信装置からアクセスチャンネルを介してアクセスチャンネル通信パケットを受信する。アクセス通信パケットは、少なくとも１つの無線通信装置１４へのグループ通信のためのリソースを示すメッセージのような、パケットの中に束ねられたメッセージ(bundled messages)があるかどうかを示す。メッセージを束ねることによって、無線通信装置１４、１６、１８は、他のコンピュータ装置(基地局６０のような)が、束ねられたメッセージに関して無線通信装置１４、１６、１８から送られたメッセージをすべて検査する必要なく、入ってくる通信を処理することができることを示すメッセージを速く送信することができる。
【００１６】
グループ通信は、音声、アプリケーション、JPEG、TIF、および同様なもののような画像のようなグラフィックメディア、あるいはMP3、MP4、WAV、および同様なもののようなオーディオファイルになりえる。媒体は、さらに、マルチメディアアプリケーション(Powerpoint、MOVファイルなど)のようなストリーミングメディアになりえる。さらに、グループ通信は、一般的に通信グループ１２のメンバー間の半二重の音声会議である。
【００１７】
図２は、PTTシステムでのグループメンバーのセットの無線通信装置(装置７０、７２、７４、７６)間の通信を制御するグループ通信サーバー３２のような、一連のグループ通信コンピュータ装置を有する、共通の携帯電話電気通信構成の中の無線ネットワークの一実施例の代表的なダイヤグラムである。
無線ネットワークは単に例示であり、互いの間で、および互いの中で、および／または、限定ではないが無線ネットワークキャリアおよび／またはサーバーを含む、無線ネットワーク２０のコンポーネントの間でおよびこれらの中で、遠隔モジュールが無線で通信するあらゆるシステムを含むことができる。一連のグループ通信サーバー３２はグループ通信サーバーＬＡＮ５０に接続される。無線電話は、データサービスオプションを使用してグループ通信サーバー(単数または複数)３２からパケットデータセッションを要求することができる。さらに、BCMCSコントローラー３３がＬＡＮ５０に示され、その機能性は、図４と５中でより完全に以下に述べられる。
【００１８】
グループ通信サーバー３２は、キャリアネットワーク５４上に常駐するとここで示される、PSDN５２のような無線サービスプロバイダー・パケット・データ・サービスノード(PDSN)、および／または、ブロードキャストサービングノード５３に接続される。
【００１９】
PSDN５２あるいはBSN５３は、それぞれ、パケット制御機能(PCF)６２によって基地局６０の基地局コントローラー６４とインターフェースをとることができる。PCF６２は、基地局６０に典型的に位置する。キャリアネットワーク５４は、メッセージ・サービス・コントローラー(「MSC」)５８に送ったメッセージ(一般にデータパケットの形式で)を制御する。キャリアネットワーク３０は、ネットワーク、インターネットおよび／またはPOTS(plain ordinary telephone system)によりMSC３２と通信する。典型的には、キャリアネットワーク５４とMSC５８との間のネットワークまたはインターネット接続は、データを転送し、また、POTSは、音声情報を転送する。MSC５８は１つ以上の基地局６０に接続されることができる。キャリアネットワークと似た方法で、MSC５８は、データ転送についてはネットワークおよび/またはインターネット、また、音声情報についてはＰＯＴＳの両方によって、ベース無線送受信局(時々「branch-to-source」と呼ばれる)(BTS)６６に典型的に接続される。BTS６６は、ショート・メッセージ・サービス(「SMS」)、あるいは従来から知られている他の無線の方法によって、携帯電話７０、７２、７４、７６のような、無線装置へ、および、無線装置から、無線でメッセージを最終的にブロードキャストおよび受信する。
【００２０】
キャリアー境界および／またはPTTオペレーター・ネットワーク境界が、ここに記述されるようなデータの共有を妨げたり禁止したりしないことはさらに注目されるべきである。
【００２１】
無線電話１４のような携帯電話およびモバイル電気通信装置は、増加した演算能力をともなって製造されており、パーソナルコンピュータおよびハンドヘルドPDAと同等になってきている。これらの「スマートな」携帯電話は、無線装置のプロセッサ上でダウンロード可能で実行可能なソフトウェアアプリケーションをソフトウェア開発者が開発することを可能にする。携帯電話１４のような無線装置は、ウェブページ、アプレット、MIDlets、ゲームおよびデータのような多くのタイプのアプリケーションをダウンロードすることができる。通信グループ１２(図１)を指定した無線装置では、無線通信装置は、セットのうちの他のメンバーと直接接続し、音声とデータ通信に参加することができる。
【００２２】
しかしながら、そのようなグループ向け通信のすべては、グループ通信サーバー３２を介して生じる、または、その制御にある。装置のすべてのデータパケットは、必ずしもグループ通信コンピュータ装置３２自体を通して移動する必要があるとは限らず、しかし、グループ通信コンピュータ装置３２は、典型的には、通信グループのメンバーの同一性を検索することができ、または他のコンピュータ装置に通信グループ１２のメンバーの同一性を指示することができるおよび/またはそのことに気がつくただ一つのサーバーサイド３０コンポーネントであるので、グループ通信コンピュータ装置３２は通信を最終的に制御できなくてはならない。
【００２３】
図３は、装置のターゲットセット、つまり、通信グループ１２の他のメンバーに直接通信を開く、PTTボタン７８を備えた携帯型電話１４である無線電気通信装置の１つの実施例を例証するブロック・ダイヤグラムである。無線装置１４は、無線装置１４のユーザーに対してグラフィックスディスプレイ８０を持っていることとしてさらに示される。無線装置１４は、音声とデータパケットを扱うことができ、グループ通信を含めるために無線ネットワーク２０を介して送信されたソフトウェアアプリケーションを受信して実行することができるコンピュータ・プラットフォーム８２を含んでいる。コンピュータ・プラットフォーム８２は、他のコンポーネントの中で、特定用途向け集積回路(「ASIC」)８４、あるいは他のプロセッサ、マイクロプロセッサー、論理回路、プログラマブルゲートアレイあるいは他のデータ処理装置を含んでいる。ASIC８４は、無線装置の製造の時にインストールされ、通常はアップグレード可能ではない。ASIC８４あるいは他のプロセッサは、アプリケーションプログラミングインターフェース(「API」)層８６を実行し、それは常駐のアプリケーション環境を含んでいて、ASIC８４にロードされたオペレーティング・システムを含むことができる。常駐アプリケーション環境は、無線装置のメモリ８８中の任意の常駐プログラムとインターフェースをとる。常駐のアプリケーション環境の一例は、無線装置プラットフォームのために、クゥアルコム（登録商標）によって開発されたソフトウェア「無線のための２進法のランタイム環境」(BREW)である。
【００２４】
ここに示されるように、無線装置はグラフィックスディスプレイ８０を備えた携帯型電話１４になりえるが、さらに携帯情報端末(PDA)のような既知のようなコンピュータ・プラットフォーム８２、グラフィックスディスプレイ２６を備えたページャー、あるいは無線通信ポータルを有する個々のコンピュータ・プラットフォームなどを備えた任意の無線装置になりえ、そしてそうでなければネットワークまたはインターネットに対して有線接続を有しうる。さらに、メモリ８８は、読み出し専用またはランダムアクセスメモリ(RAMとROM)、EPROM、EEPROM、フラッシュカードあるいはコンピュータ・プラットフォームに共通の任意のメモリで構成されることができる。コンピュータ・プラットフォーム８２は、さらにメモリ８８の中で動的に使用されないソフトウェアアプリケーションの記憶のためのローカルデータベース９０を含むことができる。ローカルデータベース９０は、１つ以上のフラッシュメモリ・セルで典型的に構成されるが、磁気媒体、EPROM、EEPROM、光学媒体、テープあるいはソフトまたはハードディスクのような従来から知られているような任意の第２または第３の記憶装置になりえる。
【００２５】
無線装置のこの実施例では、コンピュータ・プラットフォーム８２は、PTTコールの中で典型的に半二重の音声通信のために、無線装置から直接通信チャネルを開くことができる直接通信インターフェース９２をさらに含んでいる。直接通信インターフェース９２は、さらに無線装置へ、および、無線装置から送信された音声とデータを通常運ぶ無線装置用の標準規格の通信インターフェースの一部になりえる。直接通信インターフェース９２は、従来から知られているようにハードウェアで典型的に構成される。
【００２６】
図４は、CDMA2000アーキテクチャ中でのBCMCSデータストリーミングの一実施例を例証するブロック・ダイヤグラムである。ここに示されたのは、潜在的な(potential)ホームネットワーク、サービングネットワーク、および様々な常駐要素を備えたサードパーティー場所(locations)である。BCMCSコントローラー１１０は、BSN１２２(SAAA１１２による)、BCMCSコンテンツサーバ、移動局１２６(PDSN１２０機能による)、およびRAN(BSN１２２機能による)へのBCMCSセッション情報を管理することおよび提供することを担う。BCMCSコントローラー１１０は、移動局１２６が所望のコンテンツを見つけるのを支援するために見つける動作(discovery operations)を行なうことができる。
【００２７】
BCMCSコンテンツサーバ１１４はBCMCSコンテンツをIPマルチキャストストリーム内で利用可能にする。サービングネットワーク中のBCMCSコンテンツサーバ１１４は、必ずしもコンテンツの発生元か源ではないが、BSN１２２に達するコンテンツに先立ってコンテンツを処理する(例えば、再フォーマットする)最後のアプリケーションレベルエンティティ(entity)であることが注目されるべきである。BCMCSコンテンツサーバ１１４は、BCMCSコンテンツ・プロバイダー１００,１０８からのコンテンツを格納して送ってもよく、および／または多数のコンテンツ・プロバイダーからのコンテンツを合併してもよい。高次レイヤ暗号化が可能になる場合、BCMCSコンテンツサーバ１１４はストリームコンテンツを暗号化する。この実施例では、サードパーティー場所でのBCMCSコンテンツ・プロバイダー１０８はコンテンツの発生元か源である。
【００２８】
BCMCS加入者プロファイルマネージャー１０４は、承認されたBCMCSサービスに関する加入者プロファイルデータベース１０２中の加入者プロファイルを更新するアプリケーションである。ユーザーは、本アプリケーションに直接インターフェース接続してもよく、あるいは、キャリアー・オペレーターは、それらの顧客サービス代理人への本アプリケーションへのアクセスを保存してもよい。ユーザーとBCMCS加入者プロファイルマネージャー１０４の間のインターフェース、およびBCMCS加入者プロファイルマネージャー１０４と加入者プロファイルデータベース１０２の間のインターフェースは、共通ネットワーク構成の実例となる目的のためにのみ示される。H-AAA１０６およびS-AAA１１２はBCMCS認証、認可およびアカウンティング(accounting)を担う要素であり、BCMCSユーザープロファイルから情報を得るために加入者プロファイルデータベース１０２にアクセスする。
【００２９】
PDSN１２０は、ユニキャスト・パケット・データ・サービスをパケット・データセッション確立のために使用して、IPフローなどを加えるおよび削除するために通信し、移動局(MS)１２６への、および、移動局(MS)１２６からのIPトラヒックのための第１ホップルーターとして作動する。BSN１２２は、マルチキャストIPフローを加えるおよび削除するために、BSC/PCF１２４と通信する。BSN１２２は、それ自体とBCMCSコンテンツサーバ１１４に戻って接続する最も近いルーターとの間のマルチキャストIPフローをサポートする、運び手(bearers)を管理するためにIPマルチキャストプロトコルを使用することができる。それは、マルチキャストIPフローに対して、BCMCSコントローラー１１０から受信されたフロー処理をさらに適用する。マルチキャストルータMR１１８は、コンテンツがBSN１２２とBCMCSコンテンツサーバ１１４との間の用意されたトンネルを通して送信される場合に使用される任意のエンティティ(entity)である。この実施例では、このエンティティは、BCMCS情報取得、BCMCS登録および受信マルチキャストIPフローを行なうことを担う。BSC/PCF１２４は、BSN１２２とMS１２６の間で、運び手チャネルをシグナリングし、確立し、取り壊すことを担う。BSC１２４は、リソース、要求されたサービス品質(「QoS」)などの最適化のような考察に基づいたMS１２６への「最善の」運び手チャネルを選ぶ。
【００３０】
S-AAA１１２による、BCMCSコントローラー１１０とBSN１２２との間のインターフェースは、フロー処理(例えばヘッダ圧縮)のようなBCMCSセッション関連情報、要求された帯域幅のような適切なQoSパラメーター、および、定義済みのプロトコルによるBCMCSコントローラー１１０からBSN１２２までのBCMCSフローID、マルチキャストIPアドレス、およびポート番号の間の写像(mapping)を提供する。このインターフェースは、BCMCS登録のためにBCMCS認可情報をさらに交換する。BSN１２２とS-AAA１１２の間のインターフェース、BSN１２２は、コンテンツフローのためのアカウント情報(accounting information)を典型的に生成するだろう。またBCMCSコントローラーとSAAAの間のインターフェース。このインターフェースはBCMCSコントローラー１１０に認証および認可情報を供給する。S-AAA１１２は、MS１２６によって引き起こされたBCMCS情報取得の間に、BCMCSコントローラー１１０に、H-AAA１０６から受信されたBCMCSユーザープロファイルを送ることができる。BCMCSコントローラー１１０は、S-AAA１１２までアカウント情報(accounting information)をさらに送ることができる。S-AAA１１２は、BSN１２２とBCMCSコントローラー１１０との間のBCMCSセッション関連情報を中継するためにさらに使用されることができる。
【００３１】
BCMCSコントローラー１１０とBCMCSコンテンツ・プロバイダー１００,１０８インターフェースとの間のインターフェースは、コンテンツ・プロバイダー名、プログラム名、セッション記述(例えばコーデックタイプ)およびセキュリティ情報等を含む情報を交換する。このインターフェースは、BCMCSセッションの開始時刻およびBCMCSセッションの持続時間をさらに交換することができる。BCMCSコントローラー１１０とBCMCSコンテンツサーバ１１４との間のインターフェースは、セキュリティ情報、マルチキャストIPアドレスおよびポート番号、およびコンテンツ管理情報(例えばBCMCSセッションの開始時刻およびBCMCSセッションの持続時間)を交換することができる。BCMCSコントローラー１１０は、BCMCSフローを加えるか、修正するか、削除するために、このインターフェースを使用し、また、このインターフェースは、BCMCSコンテンツサーバ１１４およびBCMCSコントローラー１１０のメッセージ認証のための機構をさらに供給し、そのメッセージの保全性を保護する。
【００３２】
BCMCSコントローラー１１０とMS/UIM１２６の間のインターフェースは、MS１２６の中のBCMCSクライアントアプリケーションに、典型的にプログラム名、BCMCSフローID、マルチキャストIPフローが暗号化される場合のブロードキャストアクセスキー(BAK)(単数または複数)およびBAK終了時間、BCMCSセッションの開始時刻、BCMCSセッションの持続時間、フロー処理(例えばヘッダ圧縮)、およびセッション記述(例えば３６のコーデックタイプ)などを含む利用可能なBCMCSセッションに関する情報へのアクセスを提供する。PCF１２４は、PDSN１２９にA11登録要求メッセージを送信することにより、A10接続の設定を開始する。A11登録要求メッセージは、CDMA2000標準規格中で指定された拡張を含んでいる。A11登録要求メッセージは設定可能な回数再送信されることができ、また、接続設定要求が受諾可能である場合、PDSN１２０は、PDSNセッション識別子(PDSN SID)とIMSIアドレス、PCFアドレスおよびPDSNアドレス情報との間の関連性を生成することにより、A10接続のためのそのバインディング記録(binding record)を更新する。PSDN SIDはPCFセッション識別子(PCF SID)と同一である。PCFかPDSNのいずれかが適切なセッション識別子バージョンをサポートしない場合、PDSNは任意のPDSN SIDを選ぶことができる。
【００３３】
PCF１２４およびPDSN１２０は、ユーザトラフィック(user traffic)の転送のためのA10接続としてA11登録応答メッセージの中で返されたPCF-IPアドレスおよびPDSNIPアドレスを使用する。PCFIPアドレスおよびPDSNIPアドレスはそれぞれのA10接続のために固有のリンクレイヤIDを形成する。PCF１２４およびPDSN１２０は、A10接続とのモバイルのIMSIアドレスの関連を維持する。A10接続のリリース(release)は、PCF１２４によって典型的に制御される、しかしながら、PDSNは、A10接続のリリースをさらに開始することができ、PDSN１２０は、PCF１２４が接続をリリースすることを要求することができる。
【００３４】
図５は、BSC/PCF１４２とBSN１４４の間のブロードキャストA10インターフェースを生成するBCMCSフロー登録の一実施例を示すものである。MS１４０は、オーバヘッドメッセージから、コンテンツアベイラビリテイ(content availability)および無線パラメーターおよび情報を受信する。MS１４０は、認可署名(signature)が含まれる、BCMCS_FLOW_ID(単数または複数)のためのBCMCS登録を行なう。BSC/PCF１４２がBAK情報を有する場合、RANはBAK_HASHをチェックすることができる。BSC/PCF１４２は、RANセッション情報を要求するためにBSN１４４にA11 BCサービス要求を送信し、BCMCS_FLOW_IDおよび認可署名を含む。
【００３５】
BSN１４４は、S-AAA/BCMCSのコントローラー１４６へ、ユーザサービス中での遠隔認証ダイアル(「RADIUS」)アクセス要求メッセージを送る。メッセージは、BCMCS_FLOW_ID、認可パラメーターおよび理由コード(Reason Code)を含む。この例において、BSN１４４は、認可およびBSNセッション情報の両方が必要であることを示すために、Reason１コードを３に設定する。BCMCSコントローラー１４６は認可を行なう。その後、BCMCSコントローラー１４６は、BCMCSセッション情報を含むBSN１４４にRADIUSアクセス承認メッセージを送信する。BSN１４４は、RANが必要とするBCMCSセッション情報を含むBSC/PCF１４２にBCサービス応答を送る。ブロードキャストA10接続を設定するために、RANはBSN１４４にBC登録要求を送信する。BSN１４４はBC登録応答で応答する。RANはMS１４０に登録承認を送る。BSN１４４はBCMCSフロー(単数または複数)を終了するためにRANにA11-BC登録更新メッセージを送信することができる。マッピングがBSN１４４であらかじめ供給された情報(BCMCSFlowID; マルチキャストIP アドレス/ポート)である場合、BSC/PCF１４２とBSN１４４の間のBC登録要求および応答のみが必要である。
【００３６】
典型的には、MS１４０は、マルチキャスト・フロー(BCMCSフロー)が開始するころに、BCMCSフロー登録メッセージを送信することを認められる。BCMCSフロー登録メッセージが許可された登録期間に受信されない場合(例えば、過度に早くあるいは過度に遅く)、RANは一般的に登録を無視する。しかしながら、いくつかの「動的な(dynamic)」グループ通信については、フローの開始時刻はMS１４０に知られていない。例えば、PTTグループコールの開始は任意で、MS１４０に前もって知られていない。PTTグループコールの最初のマルチキャストメッセージは、典型的に複数のグループメンバー（例えば無線通信装置１４、１６および１８)のもとへPTTサーバーによって送られるコール通知メッセージである。BSN５３と基地局６０の間のブロードキャストA10接続が、コール通知の時間で開いていない場合、メッセージは落とされる場合がある、あるいは、遅れる場合がある。したがって、少なくとも１つのグループメンバーが存在する限り、いつもそのような動的なBCMCSフローのための連続的なブロードキャストA10接続を維持することは望ましい。
【００３７】
図６は、PTT通信グループの少なくとも一メンバーが登録されている間に、連続的なインターフェースを維持する通信制御装置(図４の中のBSC/PCF１２４のような)上のプロセスの一実施例のフローチャートである。ステップ１５０で示されるように、登録は無線通信装置１４、１６、１８から受信され、次に、判断１５２で示されるような、登録がPTTグループ(あるいは他の動的なグループ)のためのコール通知フローのためのものかどうかに関しての判断がなされる。登録が、判断１５２としてPTTグループあるいは他の動的なグループのためのコール通知フローのためのものでない場合、判断１６４で示されるように、登録が許可された登録時間期間に受信される場合のみ、ブロードキャストA10接続が確立される。この場合、その接続はステップ１６６で開かれるだろう。そうでなければ、終了１７２で示されるように、その登録は無視され、プロセスは終了する。
【００３８】
そうでなければ、登録が判断１５２でのPTTグループのためのコール通知フローのためのものである場合、判断１５４で示されるように、PTTグループが通信制御装置でメンバーを登録したかどうかに関しての判断がなされる。この場合、グループのためのインターフェースは既に開いているはずであり、また、RANはグループのためにインターフェースを新しく開く必要はない。ステップ１５６で示されるように、RANはグループのグループメンバーリストに無線通信装置を単に加える必要がある。その通信グループのための通信制御装置上でまだ登録された装置がない場合、ステップ１５８で示されるように、その無線通信装置のための通信グループは通信制御装置のリスト上に格納され、次に、ステップ１６０で示されるように、インターフェースは無線通信装置について開かれる。
【００３９】
ブロードキャストA10インターフェースのようなインターフェースが無線通信装置について開かれた後、判断１６２で示されるように、その後、無線通信装置が未登録になったかに関しての判断がなされる。無線通信装置が判断１６２で未登録になっていない場合、待ち状態に入り、また、無線通信装置が未登録になるまで、インターフェースは依然として開いたままである。一旦、判断１６２で無線通信装置が未登録になると、判断１６８で示されるように、その無線通信装置の通信グループにいずれかの通信グループメンバーが残されているかどうかに関しての判断がなされる。登録されたままである通信グループのメンバーがある場合、次に、判断１６２に返り、プロセススレッドは無線通信装置が未登録になることをさらに待つ。そうでなければ、通信グループのメンバーが判断１６８で通信制御装置のリスト上に登録されない場合(あるいは判断１５４で生じることができるような無線通信装置のための通信グループがなかった場合)、次に、ステップ１６８で示されるように、無線通信装置および／または通信グループに割り当てられたインターフェースはリリースされ、次に、終了１７０で示されるように、プロセスは終了する。
【００４０】
したがって、システムは、１つの実施例中で、通信制御装置（BSC/PCF１４２)での無線通信装置の通信グループ(PTTグループ１２)のメンバーである、少なくとも１つの無線通信装置１４を登録することを介して、通信グループ(PTTグループ１２)にある、複数の無線通信装置１４、１６、１８の少なくとも１つへの無線通信を制御する、通信制御装置への開いたインターフェースを選択的に維持する本発明の方法を提供すると捉えられ、少なくとも１つの無線通信装置１４は、通信グループのためにグループ向け通信を受信するように構成され、少なくとも１つの無線通信装置１４は、通信制御装置から選択的に未登録となり、次いで、通信制御装置と無線通信ネットワーク上の別のコンピュータ装置(BSC.PCF１４２とBSN１４４の間で確立されているブロードキャストA10のような)との間の少なくとも１つのインターフェースを確立し、少なくとも１つのインターフェースは、少なくとも１つの無線通信装置１４へのグループ向け通信(例えばPTTグループコール通知)の配信を可能にする。その後、少なくとも１つの無線通信装置１４が通信制御装置に登録されている間に、少なくとも１つのインターフェースを維持する。
【００４１】
１つの実施例では、通信制御装置(BSC/PCF１４２)は、登録された無線通信装置のリストをさらに維持することができ、無線通信装置１４が未登録となる際に、リストから未登録の無線通信装置を取り除く。その方法は、さらに無線通信装置１４が未登録になる際に少なくとも１つのインターフェースをリリースすることをさらに含むことができる。少なくとも１つのインターフェースを確立することは、少なくとも１つの無線通信デバイス１４へと向けられたグループ向け通信が通信制御装置(BSC/PCF１４２)で受信される際に、すなわち、入ってくるＰＴＴコール通知が無線通信デバイス１４に送信される際に、生じることができる。また、もしそのように具体化されれば、少なくとも１つの無線通信装置１４は、少なくとも１つの無線通信デバイスへ向けられたグループ向け通信が通信制御装置(BSC/PCF１４２)で受信されている際に、リストに置かれることができる。少なくとも１つのインターフェースを確立することは、それぞれの登録された無線通信装置１４、１６、１８につき、少なくとも１つのインターフェース(ブロードキャストA10インターフェースのような)を確立することができる。
【００４２】
そのように具体化される、方法は、登録された無線通信装置１４のための通信グループ(PTTグループ１２)がリストに載っているかどうか判断することを含むことができ、そして、少なくとも１つのインターフェースを維持することは、通信グループの(PTTグループ１２)少なくとも１つの無線通信装置が登録される限り、リストされた通信グループのための少なくとも１つのインターフェースを維持することである。通信制御装置が基地局コントローラ(BSC１４２)で、別のコンピュータ装置がブロードキャストサービングノード(BSN１４４)である場合、少なくとも１つのインターフェースを確立することは、BSN１４４とBSC１４２との間のブロードキャストA10インターフェースを確立することができる。
【００４３】
モバイル装置および他のコンピュータ・プラットフォーム上で実行可能な方法を考慮して、方法は、それに応じてコンピュータ読み取り可能媒体における常駐のプログラムによって行なうことができ、ここでプログラムは、方法のステップを行なうためのコンピュータ・プラットフォームを持っているモバイル装置あるいは他のコンピュータ装置に命令する。コンピュータ読み取り可能媒体はサーバーのメモリになりえ、あるいは接続のデータベースになりえる。さらに、コンピュータ読み取り可能媒体は、従来から知られているような磁気ディスクかテープ、光学ディスク、ハードディスク、フラッシュメモリーあるいは他の記憶媒体のような、無線通信装置コンピュータプラットフォーム上にロード可能な補助記憶装置媒体にある場合がある。
【００４４】
１つ又は複数の典型的な実施例において、説明された機能は、ハードウェア、ソフトウェア、ファームウェア、又はそれら任意の組み合わせによって実現されうる。ソフトウェアによって実現される場合、機能は、コンピュータ読取可能媒体上の１つ又は複数の命令又はコードとして格納又は送信されうる。コンピュータ読取可能媒体は、１つの場所から別の場所へのコンピュータ・プログラムの転送を容易にする任意の媒体を含む通信媒体及びコンピュータ記憶媒体両方を含む。記憶媒体は、コンピュータによってアクセス可能である任意の利用可能な媒体であることができる。限定ではなく一例として、そのようなコンピュータ読取可能媒体は、ＲＡＭ、ＲＯＭ、ＥＥＰＲＯＭ、ＣＤ−ＲＯＭあるいはその他の光ディスク記憶媒体、磁気ディスク記憶媒体あるいはその他の磁気記憶媒体、又は、コンピュータによってアクセス可能であり、命令又はデータ構造の形式で所望のプログラム・コードを搬送又は格納するために用いられることができるその他任意の媒体を備えることができる。また、任意の接続が、コンピュータ読取可能媒体と適切に称される。例えば、ソフトウェアが、ウェブサイト、サーバ、又は、同軸ケーブル、光ファイバー・ケーブル、ツイスト・ペア、ＤＳＬ、あるいは例えば赤外線、無線、及びマイクロ波のような無線技術を用いるその他の遠隔ソースから送信される場合、同軸ケーブル、光ファイバー・ケーブル、ツイスト線ペア、ＤＳＬ、又は、例えば赤外線、無線、及びマイクロ波のような無線技術は、媒体の定義内に含まれる。本明細書で用いられるディスク（disk）及びディスク（disc）は、コンパクト・ディスク（disc）（ＣＤ）、レーザ・ディスク（disc）、光学ディスク（disc）、デジタル・バーサタイル・ディスク（disc）（ＤＶＤ）、フロッピー（登録商標）ディスク（disk）、及びブルーレイ・ディスク（disc）を含み、ディスク（disk）は通常データを磁気的に再生するのに対し、ディスク（disc）はレーザによって光学的にデータを再生する。上記の組み合わせもまた、コンピュータ読取可能媒体の範囲内に含まれるべきである。
【００４５】
発明がそれの好ましい実施例に関して特に示されて記述された一方、以下の請求項で述べられるような本発明の範囲から逸脱することなく、形式と詳細の様々な変更が行なわれうることは当業者によって理解されるだろう。更に、発明の要素は単数で記述されうるまたは請求されうるが、単数形への限定が明示的に述べられていない限り、複数形が意図される。
【誤訳訂正２】
【訂正対象書類名】特許請求の範囲
【訂正対象項目名】全文
【訂正方法】変更
【訂正の内容】
【特許請求の範囲】
【請求項１】
通信グループにある複数の無線通信装置の少なくとも１つへの無線通信を制御している通信制御装置への開いたインターフェースを選択的に維持するための方法であって、
前記通信制御装置での無線通信装置の通信グループのメンバーである、少なくとも１つの無線通信装置を登録することと、なお、前記少なくとも１つの無線通信装置は、前記通信グループのためのグループ向け通信を受信するように構成され、前記少なくとも１つの無線通信装置は、前記通信制御装置から選択的に未登録となる；
前記通信制御装置と無線通信ネットワーク上の別のコンピュータ装置との間の少なくとも１つのインターフェースを確立することと、なお、前記少なくとも１つのインターフェースは、前記少なくとも１つの無線通信装置へのグループ向け通信の配信を許可する；
前記少なくとも１つの無線通信装置が前記通信制御装置に登録されている間に、前記少なくとも１つのインターフェースを維持することとを具備する方法。
【請求項２】
前記通信制御装置は、登録された無線通信装置のリストをさらに維持し、無線通信装置が未登録になる際に、前記リストから前記未登録の無線通信装置を取り除く請求項１の方法。
【請求項３】
前記無線通信装置が未登録になる際に、前記少なくとも１つのインターフェースをリリースすることをさらに含む請求項１の方法。
【請求項４】
少なくとも１つの無線通信装置からの登録が前記通信制御装置で受信される際に、登録された無線通信装置の前記リストが更新される請求項２の方法。
【請求項５】
少なくとも１つのインターフェースを確立することは、前記通信グループのための少なくとも１つのインターフェースを確立することである請求項１の方法。
【請求項６】
少なくとも１つのインターフェースを確立することは、それぞれの登録された無線通信装置のための少なくとも１つのインターフェースを確立することである請求項１の方法。
【請求項７】
前記登録された無線通信装置のための前記通信グループが前記リストに載っているかどうか判断することをさらに具備し、
少なくとも１つのインターフェースを維持することは、通信グループの少なくとも１つの無線通信装置が登録される限り、リストされた通信グループのための少なくとも１つのインターフェースを維持することである請求項２の方法。
【請求項８】
前記通信制御装置は基地局コントローラであり、別のコンピュータ装置はブロードキャストサービングノードであり、少なくとも１つのインターフェースを確立することは、前記ブロードキャストサービングノードと前記基地局コントローラの間のブロードキャストA10インターフェースを確立することである、請求項１の方法。
【請求項９】
前記少なくとも１つの無線通信装置への前記グループ向け通信は、少なくとも１つのPTTグループメンバーへのPTTグループコール通知である請求項１の方法。
【請求項１０】
通信グループにある複数の無線通信装置の少なくとも１つへの無線通信を制御している通信制御装置への開いたインターフェースを選択的に維持するためのシステムであって、
無線通信ネットワーク上に常駐し、１つ以上の無線通信装置からの通信を選択的に受信し、前記無線通信装置を選択的に登録させる通信制御装置と、なお、前記通信制御装置は、登録された無線通信装置へのグループ向け通信の配信を許可するために、前記通信制御装置および前記無線通信ネットワーク上の別のコンピュータ装置の間のインターフェースを確立するようにさらに構成される；
無線通信装置の通信グループのメンバーである少なくとも１つの無線通信装置と、なお、前記少なくとも１つの無線通信装置は、前記通信グループのためのグループ向け通信を受信するように構成され、グループ通信を少なくとも制御する通信制御装置で選択的に登録するおよび未登録にするようにさらに構成される；
を具備し、
前記通信制御装置は、通信グループのメンバーである少なくとも１つの無線通信装置が前記通信制御装置に登録されている間に、少なくとも１つのインターフェースを維持するようにさらに構成されるシステム。
【請求項１１】
前記通信制御装置は、登録された無線通信装置のリストをさらに維持するように構成され、無線通信装置が未登録になる際に、前記リストから前記未登録の無線通信装置を取り除く、請求項１０のシステム。
【請求項１２】
前記通信制御装置は、前記無線通信装置が未登録になる際に、前記少なくとも１つのインターフェースをリリースするようにさらに構成される請求項１０のシステム。
【請求項１３】
前記通信制御装置は、少なくとも１つの無線通信装置からの登録が前記通信制御装置で受信される際に、前記リストを更新するようにさらに構成される請求項１１のシステム。
【請求項１４】
前記通信制御装置は、前記通信グループのための少なくとも１つのインターフェースを確立するようにさらに構成される請求項１０のシステム。
【請求項１５】
前記通信制御装置は、それぞれの登録された無線通信装置につき少なくとも１つのインターフェースを確立するようにさらに構成される請求項１０のシステム。
【請求項１６】
前記通信制御装置は、前記登録された無線通信装置のための通信グループが前記リストに載っているかどうか判断するようにさらに構成され、
少なくとも１つのインターフェースを維持することは、通信グループの少なくとも１つの無線通信装置が登録される限り、リストされた通信グループのための少なくとも１つのインターフェースを維持することである請求項１１のシステム。
【請求項１７】
前記通信制御装置は基地局コントローラであり、前記別のコンピュータ装置はブロードキャストサービングノードであり、少なくとも１つのインターフェースを確立することは、ブロードキャストサービングノードと前記基地局コントローラの間のブロードキャストA10チャンネルを確立することを含む、請求項１０のシステム。
【請求項１８】
前記少なくとも１つの無線通信装置への前記グループ向け通信は、少なくとも１つのPTTグループメンバーへのPTTグループコール通知である請求項１０のシステム。
【請求項１９】
無線通信ネットワーク上に常駐し、登録された無線通信装置のための無線通信を選択的に制御するように構成された通信制御装置であって、少なくとも１つの無線通信装置は、無線通信装置の通信グループのメンバーであり、前記通信グループのためのグループ向け通信を受信するように構成され、前記通信制御装置は、
前記通信制御装置と、前記登録された無線通信装置に向けられたグループ通信のための前記無線通信ネットワーク上の別のコンピュータ装置との間の１つ以上のインターフェースを確立するための手段と、
通信グループのメンバーである少なくとも１つの無線通信装置が前記通信制御装置に登録されている間に、少なくとも１つのインターフェースを維持するための手段とを具備する通信制御装置。
【請求項２０】
登録された無線通信装置のリストを維持するための手段と、
無線通信装置が未登録になる際に、前記リストから前記未登録の無線通信装置を取り除くための手段とをさらに具備する請求項１９の通信制御装置。
【請求項２１】
少なくとも１つの無線通信装置からの登録が前記通信制御装置で受信される際に、前記リストを更新するための手段をさらに具備する請求項２０の通信制御装置。
【請求項２２】
前記無線通信装置が未登録になる際に、前記少なくとも１つのインターフェースをリリースするための手段をさらに具備する請求項１９の装置。
【請求項２３】
前記通信グループのための少なくとも１つのインターフェースを確立するための手段をさらに具備する請求項１９の通信制御装置。
【請求項２４】
それぞれの登録された無線通信装置につき少なくとも１つのインターフェースを確立するための手段をさらに具備する請求項１９の通信制御装置。
【請求項２５】
前記少なくとも１つの無線通信装置への前記グループ向け通信は、少なくとも１つのPTTグループメンバーへのPTTグループコール通知である請求項１９の通信制御装置。
【請求項２６】
前記通信制御装置は基地局コントローラであり、別のコンピュータ装置はブロードキャストサービングノードであり、前記少なくとも１つのインターフェースを確立するための手段は、前記ブロードキャストサービングノードと前記基地局コントローラの間のブロードキャストA10チャンネルを確立する、請求項１９の通信制御装置。
【請求項２７】
機械によって実行された時、前記機械に動作を実行させる命令を具備し、前記命令は、
通信制御装置での無線通信装置の通信グループのメンバーである少なくとも１つの無線通信装置を選択的に登録するための１組の命令と、なお、前記少なくとも１つの無線通信装置は、前記通信グループのためのグループ向け通信を受信するように構成され、前記少なくとも１つの無線通信装置は、前記通信制御装置から選択的に未登録になる；
前記通信制御装置と前記無線通信ネットワーク上の別のコンピュータ装置との間の少なくとも１つのインターフェースを確立するための１組の命令と、なお、前記通信制御装置は、登録された無線通信装置のための無線通信を制御し、前記少なくとも１つのインターフェースは、前記少なくとも１つの無線通信装置へのグループ向け通信の配信を許可する；
前記少なくとも１つの無線通信装置が前記通信制御装置に登録されている間に、前記少なくとも１つのインターフェースを維持するための１組の命令と
を具備するコンピュータ可読媒体。
【誤訳訂正３】
【訂正対象書類名】図面
【訂正対象項目名】図６
【訂正方法】変更
【訂正の内容】
【図６】
2011501892.tif 000001